(57)【要約】【課題】キッチンからリビングルーム等の居室の様子を直接見ることができるとともに、キッチンで生じる音が直接リビングルームに入ることを防止できる建物を提供する。【解決手段】１階に吹抜け空間２を挟んで居室３とキッチン４とが設けられており、居室３と吹抜け空間２との境界部には、透明な板材で形成された透明仕切壁１０が設けられており、キッチン４と前記吹抜け空間２とは仕切られていないので、キッチン４から吹抜け空間２、透明仕切壁１０を通して居室３の様子を見ることができる。また、キッチン４で生じる音の一部は吹抜け空間２から上方に伝わるとともに、透明仕切壁１０によって遮断されるので、キッチン４で生じる音が直接居室３に入ることを防止できる。【選択図】図１
2008190202.tif 000002
【特許請求の範囲】
【請求項１】
建物本体のほぼ中央部に、１階床から２階天井まで吹き抜ける吹抜け空間が設けられた建物において、
１階に前記吹抜け空間を挟んで居室とキッチンとが設けられており、前記居室と前記吹抜け空間との境界部には、透明な板材で形成された透明仕切壁が設けられており、前記キッチンと前記吹抜け空間とは仕切られていないことを特徴とする建物。
【請求項２】
請求項１に記載の建物において、
前記透明仕切壁の横には、前記吹抜け空間と前記居室とを行き来するための開口部が設けられていることを特徴とする建物。
【請求項３】
請求項１または２に記載の建物において、
前記居室の壁に設けられた窓が前記透明仕切壁に対向していることを特徴とする建物。
【請求項４】
請求項１〜３のいずれか一項に記載の建物において、
２階には、前記吹抜け空間に面して居室が設けられており、この居室と前記吹抜け空間とが透明な板材で形成された２階透明仕切壁によって仕切られていることを特徴とする建物。
【請求項５】
請求項４に記載の建物において、
前記吹抜け空間は外壁に面しており、この外壁には２階において前記居室の高さとほぼ等しい縦長の大窓が設けられていることを特徴とする建物。
【発明の詳細な説明】
【技術分野】
【０００１】
本発明は、建物本体のほぼ中央部に吹抜け空間が設けられた建物に関する。
【背景技術】
【０００２】
吹抜け空間が設けられた建物の一例として特許文献１に記載のものが知られている。この建物では、建物の中央にリビングルームを配置し、このリビングルーム上方に上階の天井まで至る吹抜けを設け、前記リビングルームに、一方側の側面がリビングルーム側に面して開口した階段を配置し、この階段を、前記上階の吹抜け側を開口した部屋に接続している。また、リビングルームに隣接してダイニングルーム、このダイニングルームに隣接してキッチンが配置されている。
【特許文献１】特開２００２−１９４８９９号公報
【発明の開示】
【発明が解決しようとする課題】
【０００３】
ところで、上記のような建物では、キッチンとリビングルームとは壁によって仕切られているため、キッチンからリビングルームの様子を直接見ることはできない。特にリビングルームに比較的幼い子供が居る場合に、キッチンに立つ母親はリビングルームの様子を直接見たいが、上記のような建物ではそれはできない。
そこで、キッチンとリビングルームとを仕切る壁を外せば、キッチンからリビングルームの様子を直接見ることができる。しかし、キッチンでは、料理の際等に比較的大きな音が発生するため、この音を直接リビングルームに入れるのはあまり好ましくない。
【０００４】
本発明は上記事情に鑑みてなされたもので、キッチンからリビングルーム等の居室の様子を直接見ることができるとともに、キッチンで生じる音が直接リビングルームに入ることを防止できる建物を提供することを課題としている。
【課題を解決するための手段】
【０００５】
上記課題を解決するために、請求項１に記載の発明は、例えば図１に示すように、建物本体１のほぼ中央部に、１階床から２階天井まで吹き抜ける吹抜け空間２が設けられた建物において、
１階に前記吹抜け空間２を挟んで居室３とキッチン４とが設けられており、前記居室３と前記吹抜け空間２との境界部には、透明な板材で形成された透明仕切壁１０が設けられており、前記キッチン４と前記吹抜け空間２とは仕切られていないことを特徴とする。
【０００６】
請求項１に記載の発明によれば、１階に吹抜け空間２を挟んで居室３とキッチン４とが設けられており、居室３と吹抜け空間２との境界部には透明仕切壁１０が設けられており、キッチン４と吹抜け空間２とは仕切られていないので、キッチン４から吹抜け空間２、透明仕切壁１０を通して居室３の様子を見ることができる。
また、キッチン４で生じる音の一部は吹抜け空間２から上方に伝わるとともに、透明仕切壁１０によって遮断されるので、キッチン４で生じる音が直接居室３に入ることを防止できる。
【０００７】
請求項２に記載の発明は、請求項１に記載の建物において、
前記透明仕切壁１０の横には、前記吹抜け空間２と前記居室３とを行き来するための開口部１２が設けられていることを特徴とする。
【０００８】
請求項２に記載の発明によれば、開口部１２を通して吹抜け空間２と居室３とを行き来でき、また、吹抜け空間２とキッチン４とは仕切られていないので、吹抜け空間２とキッチン４とを行き来できる。したがって、キッチン４から吹抜け空間２を通って居室３に行き来できる。
【０００９】
請求項３に記載の発明は、請求項１または２に記載の建物において、
前記居室３の壁に設けられた窓１５が前記透明仕切壁１０に対向していることを特徴とする。
【００１０】
請求項３に記載の発明によれば、居室３の壁に設けられた窓１５から採り入れた光を透明仕切壁１０を通して、吹抜け空間２、キッチン４へと採り入れることができる。したがって、建物本体１の略中央部に吹抜け空間２を設けても、該吹抜け空間２に容易に採光でき、また、キッチン４にも採光できる。
【００１１】
請求項４に記載の発明は、例えば図２に示すように、請求項１〜３のいずれか一項に記載の建物において、
２階には、前記吹抜け空間２に面して居室２０，２１が設けられており、この居室２０，２１と前記吹抜け空間２とが透明な板材で形成された２階透明仕切壁２２，２３によって仕切られていることを特徴とする。
【００１２】
請求項４に記載の発明によれば、吹抜け空間２に面して設けられた２階の居室２０，２１と吹抜け空間２とが２階透明仕切壁２２，２３によって仕切られているので、この２階透明仕切壁２２，２３を通して吹抜け空間２へ採光することができる。また、吹抜け空間２から第２透明仕切壁２２，２３を通して２階の居室２０，２１の様子をある程度見ることができる。
【００１３】
請求項５に記載の発明は、例えば図２および図４に示すように、請求項４に記載の建物において、
前記吹抜け空間２は外壁に面しており、この外壁には２階において前記居室２０，２１の高さとほぼ等しい縦長の大窓２５が設けられていることを特徴とする。
【００１４】
請求項５に記載の発明によれば、２階外壁に設けられた大窓２５から吹抜け空間２に採光することができるので、日中は吹抜け空間全体を明るくすることができる。また、この吹抜け空間２に採光した光は、１階のキッチン４や居室３にも届くので、これらキッチン４、居室３を明るくすることができる。
【発明の効果】
【００１５】
本発明によれば、１階に吹抜け空間を挟んで居室とキッチンとが設けられており、居室と吹抜け空間との境界部には、透明な板材で形成された透明仕切壁が設けられており、キッチンと吹抜け空間とは仕切られていないので、キッチンから吹抜け空間、透明仕切壁を通して居室の様子を見ることができる。また、キッチンで生じる音の一部は吹抜け空間から上方に伝わるとともに、透明仕切壁によって遮断されるので、キッチンで生じる音が直接居室に入ることを防止できる。
【発明を実施するための最良の形態】
【００１６】
以下図面を参照して本発明の実施の形態について説明する。
本実施の形態の建物は２階建てのものである。この建物の１階には図１および図２に示すように、建物本体１のほぼ中央部には１階床から２階天井まで吹き抜ける吹抜け空間２が設けられている。吹抜け空間２は平面視において東西に長尺な長方形状のものであり、南北方向において建物本体２の中央部に設けられ、東西方向において略中央部で若干西側よりに設けられている。
【００１７】
建物本体１には、吹抜け空間２を南北に挟んで居室３とキッチン４とが設けられており、キッチン４の東側に隣接して食堂５が設けられている。キッチン４内の食堂５側には調理台６が設けられており、その上方は１階の天井まで空間となっている。したがって、キッチン４からは食堂５が見渡せるようになっている。
食堂５の東側に隣接して居室７が設けられている。この居室７と食堂５との間には３連の引戸８が設けられており、この引戸８を開けることによって、キッチン４から居室７を見渡せるようになっている。なお、引戸８は１階天井までの高さを有する大きなものである。
また、キッチン４および食堂５と、吹抜け空間２とは仕切られておらず、横方向に連続した空間となっている。
【００１８】
前記居室３はリビングとして使用される部屋であり、この居室３と吹抜け空間２との境界部には透明仕切壁１０が設けられている。この透明仕切壁１０は、厚さ１０ｍｍの透明な強化ガラス板で形成されたものであり、その上端部は１階天井まで達している。また、前記吹抜け空間２には、１階床から２階床にかけて直階段１１が設けられている。この直階段の一方の側部には階段手摺１１ａが設けられており、他方の側部は前記透明仕切壁１０に接している。
直階段１１は鋼製の桁材を１階床と２階床とにかけ、この桁材に複数の段板を桁材の長手方向に所定間隔で取り付けたものであり、蹴込板は備えていない。階段手摺１１は、フレームで形成されたもので、段板の端部に立設された手摺子と、手摺子の上端に取り付けられた棒状の手摺とで構成されている。したがって、キッチン４から直階段１１を見ると、この直階段１１、透明仕切壁１０を通して居室３を見れるようになっている。
【００１９】
また、前記透明仕切壁１０の西側の横には、吹抜け空間２と居室３とを行き来するための開口部１２が設けられている。また、透明仕切壁１０の東側の横には、食堂５と居室３との間に設けられた通路１３から居室３に出入りするための開口部１４が設けられている。
また、居室３の南側にある外壁には、掃出し窓１５が設けられており、この掃出し窓１５は透明仕切壁１０に対向している。掃出し窓１５は図３に示すように、１階の天井まで達する縦長の大きな引違い式の窓であり、居室３の南側の壁ほぼ全体に亙って設けられている。この掃出し窓１５の外側には、テラス１６が設けられている。
【００２０】
また、前記通路１３の東側に隣接して玄関ホール１７が設けられており、この玄関ホール１６の北側に隣接して前記居室７が設けられている。玄関ホール１７と通路１３とを仕切る壁にはドアが設けられており、玄関ホール１７と居室７とを仕切る壁にもドアが設けられている。したがって、この玄関ホール１７から通路１４と居室７との双方に行き来できるようになっている。
また、玄関ホール１７の奥側には洗面コーナ１８が設けられている。この洗面コーナ１８は、ドア等がないオープンな空間であり、洗面台が設置されている。また、洗面コーナ１８に対向してトイレ１９が設けられており、このトイレ１９には玄関ホール１７から出入りできるようになっている。
【００２１】
建物本体１の２階には、図２に示すように、前記吹抜け空間２に面して居室２０，２１が設けられている。居室２０は夫婦の寝室として使用され、居室２１は子供部屋として使用されるものであり、吹抜け空間２を挟んで南北に配置されている。
居室２０と吹抜け空間２とは２階透明仕切壁２２によって仕切られている。この２階透明仕切壁２２は厚さ１０ｍｍの透明な強化ガラス板で形成されたものであり、その上端部は２階天井まで達している。
また、居室２１と吹抜け空間２とは２階透明仕切壁２３によって仕切られている。この２階透明仕切壁２３も厚さ１０ｍｍの透明な強化ガラス板で形成されたものであり、その上端部は２階天井まで達している。
また、前記２階透明仕切壁２２，２３の居室側の上端部には、ブラインドが取り付けられており、このブラインドによって２階透明仕切壁２２，２３を覆えるようになっている。ブラインドによって２階透明仕切壁２２，２３を覆うことによって、居室２０，２１と吹抜け空間２との間の視認性を遮断できるようになっている。
【００２２】
前記吹抜け空間２は建物本体１の西側の外壁に面しており、この外壁には２階において大窓２５が設けられている。この大窓２５は図４に示すように、居室２０，２１の上下の高さとほぼ等しい縦長の窓であり、吹抜け空間２の南北方向の長さ全体に亙って設けられている。
したがって、平面視長方形状の吹抜け空間２は、その２階部分において、二つの長辺と一つの短辺が透明なガラス板によって形成されている。
【００２３】
また、前記居室２０の東側に隣接して大型のウォークインクローゼット２６が設けられており、このウォークインクローゼット２６の東側に隣接してバルコニー２７が設けられている。ウォークインクローゼット２６には、衣類を収納する収納部２６ａと、衣類を畳んだり、衣類にアイロンかけを行うための家事カウンター２６ｂとが設けられている。このようなウォークインクローゼット２６には居室２０およびバルコニー２７の双方から出入りできるようになっている。
また、バルコニー２７の北側に隣接して洗面室２８が設けられており、この洗面室２８の北側に浴室２９がこの浴室２９の西側にトイレ３０が設けられている。また、洗面室２８には洗濯機置場２８ａが設けられている。そして、バルコニー２７には洗面室２８から出入りできるようになっている。
【００２４】
前記居室２１の東側に隣接して大型のウォークインクローゼット３１が設けられており、このウォークインクローゼット３１の東側に隣接して居室３２が設けられている。ウォークインクローゼット３１には、居室２１および居室３２の双方から出入りできるようになっている。また、このウォークインクローゼット３１には、ホール３３からも出入りできるようになっている。
【００２５】
本実施の形態の建物によれば、１階に吹抜け空間２を挟んで居室３とキッチン４とが設けられており、居室２と吹抜け空間２との境界部には、透明な板材で形成された透明仕切壁１０が設けられており、キッチン４と吹抜け空間３とは仕切られていないので、キッチン４から吹抜け空間２、透明仕切壁１０を通して居室３の様子を見ることができる。
また、吹抜け空間２に設けられた直階段１１の一方の側部には階段手摺１１ａが設けられ、他方の側部には透明仕切壁１０が直階段１１に接して設けられているので、直階段１１を周囲の部屋（居室３、キッチン２、食堂５）等からよく視認できる。また、直階段１１の他方の側部に透明仕切壁１０が直階段１１に接して設けられているので、この透明仕切壁１１を挟んで直階段１１に隣接する居室３に直階段１１を昇降する住人の足音等の騒音が直接届くことがない。さらに、透明仕切壁１０や階段手摺１１ａは殆ど光を遮ることがないので、直階段１１周囲の部屋に光が行き渡り易くなる。
さらに、キッチン４で生じる音の一部は吹抜け空間２から上方に伝わるとともに、透明仕切壁１０によって遮断されるので、キッチン４で生じる音が直接居室３に入ることを防止できる。
また、透明仕切壁１０の横には開口部１２が設けられており、この開口部１２を通して吹抜け空間２と居室３とを行き来でき、また、吹抜け空間２とキッチン４とは仕切られていないので、吹抜け空間２とキッチン４とを行き来できる。したがって、キッチン４から吹抜け空間２を通って居室３に行き来できる。
【００２６】
さらに、居室３の南側の外壁に設けられた掃出し窓１５が透明仕切壁１０に対向しているので、掃出し窓１５から採り入れた光を透明仕切壁１０を通して、吹抜け空間２、キッチン４へと採り入れることができる。したがって、建物の略中央部に吹抜け空間２を設けても、該吹抜け空間２に容易に採光でき、また、キッチン４にも採光できる。
また、２階には、吹抜け空間２に面して居室２０，２１が設けられており、この居室２０，２１と吹抜け空間２とが２階透明仕切壁２２，２３によって仕切られているので、この透明仕切壁２２，２３を通して吹抜け空間２へ採光することができる。また、吹抜け空間２から第２透明仕切壁２２，２３を通して２階の居室２０，２１の様子をある程度見ることができる。特に吹抜け空間２はキッチン４と隣接しているので、キッチン４に立つ母親が吹抜け空間２に移動して、斜め上を見上げることによって、２階の居室２０，２１にいる子供達の様子を見ることができる。
また、吹抜け空間２は外壁に面しており、この外壁には２階において居室２０，２１の高さとほぼ等しい縦長の大窓２５が設けられているので、この大窓２５から吹抜け空間２に採光することができる。したがって、日中は吹抜け空間全体を明るくすることができる。また、この吹抜け空間２に採光した光は、１階のキッチン４や居室３にも届くので、これらキッチン４、居室３を明るくすることができる。
【図面の簡単な説明】
【００２７】
【図１】本発明に係る建物の一例を示すもので、建物の１階の平面図である。
【図２】同、建物の２階の平面図である。
【図３】同、建物の正面図である。
【図４】同、建物の西側の側面図である。
【符号の説明】
【００２８】
１  建物本体
２  吹抜け空間
３  居室
４  キッチン
１０  透明仕切壁
１２  開口部
１５  掃出し窓（窓）
２０，２１  居室
２２，２３  ２階透明仕切壁
２５  大窓
【図１】
2008190202.tif 000003
【図２】
2008190202.tif 000004
【図３】
2008190202.tif 000005
【図４】
2008190202.tif 000006